(57)【要約】【課題】製造工程を削減し、強度増大を実現することができる表示装置及びテレビ受信装置を提供する。【解決手段】表示装置は、表示部、フロントキャビネット３及びバックキャビネット４を備える。フロントキャビネット３は、前面部３１、周面部３２及び突出板部３２２を有する。バックキャビネット４は、ねじ挿通穴４２及び延出部４１を有する。フロントキャビネット３及びバックキャビネット４は、ねじ挿通穴４２を後側から挿通し、周面部３２及び突出板部３２２に又は突出板部３２２の先端面にねじ立てして螺合するタッピンねじ５の締結、並びに周面部３２及び突出板部３２２の間の隙間３２４への延出部４１の嵌合により結合されている。【選択図】図３
2013017154.tif 000002
【特許請求の範囲】
【請求項１】
前側に表示面を有する表示部と、
該表示部の周縁部を取り囲むフロントキャビネットと、
前記表示部の後側を覆うバックキャビネットと
を備え、
前記フロントキャビネットは、
前記表示面の周縁部を覆う前面部と、
該前面部の外周縁に沿って後側に周設され、前記表示部の外周面を取り囲む周面部と
を有する表示装置において、
前記フロントキャビネットは、前記周面部から隔離した内側に位置し、かつ該周面部の一又は全部に沿って該フロントキャビネットから後側に突出する突出板部を有し、
前記バックキャビネットは、
前記周面部及び突出板部の間又は該突出板部の先端面に対向するねじ挿通穴と、
前記周面部及び突出板部の間に対向し、前側に延出する延出部と
を有し、
前記フロントキャビネット及びバックキャビネットは、前記ねじ挿通穴を後側から挿通し、前記周面部及び突出板部に又は該突出板部の先端面にねじ立てして螺合するタッピンねじの締結、並びに前記周面部及び突出板部の間の隙間への前記延出部の嵌合により結合されている
ことを特徴とする表示装置。
【請求項２】
前記突出板部は先端面に前記周面部の先端と略平行な溝を有し、
前記フロントキャビネット及びバックキャビネットは前記突出板部の溝に螺合するタッピンねじの締結により結合されている
ことを特徴とする請求項１に記載の表示装置。
【請求項３】
前記フロントキャビネットは前記周面部の内面から内側に張り出したリブを有し、
前記突出板部は前記リブの後側面に突設されている
ことを特徴とする請求項１又は請求項２に記載の表示装置。
【請求項４】
前記突出板部は前記前面部の後側面から前記周面部及び表示部の間に張り出すように突設されている
ことを特徴とする請求項１から請求項３までのいずれか一項に記載の表示装置。
【請求項５】
前記延出部は前記バックキャビネットの外縁部から前側に延出している
ことを特徴とする請求項１から請求項４までのいずれか一項に記載の表示装置。
【請求項６】
前記延出部は前記バックキャビネットの外縁部の一又は全部に沿って周設されている
ことを特徴とする請求項１から請求項５までのいずれか一項に記載の表示装置。
【請求項７】
前記フロントキャビネットは押出成形によって形成されている
ことを特徴とする請求項１から請求項６までのいずれか一項に記載の表示装置。
【請求項８】
請求項１から請求項７までのいずれか一項に記載の表示装置と、
テレビ放送を受信する受信部と
を備え、
前記表示装置は前記受信部が受信したテレビ放送の映像を表示するようにしてある
ことを特徴とするテレビ受信装置。
【発明の詳細な説明】
【技術分野】
【０００１】
本発明は、液晶テレビ、プラズマテレビ等の表示装置及びテレビ受信装置に関する。
【背景技術】
【０００２】
表示装置のフロントキャビネットにバックキャビネットを取り付ける場合、ビス止めが行われる。フロントキャビネットを金型により一体成形する場合、ビス止め用の穴は容易に形成可能である。しかし、フロントキャビネットを押出成形する場合、ビス止め用の穴を別工程で形成することとなり、手間の増大及びコスト上昇を招来せしめる。特許文献１には、ねじ穴形成工程を排除し、タッピンねじにより部材を締結する押出成形品が開示されている。
【先行技術文献】
【特許文献】
【０００３】
【特許文献１】特開２００７−２３３９２７号公報
【発明の概要】
【発明が解決しようとする課題】
【０００４】
しかしながら、フロントキャビネットの製造工程からねじ穴形成工程を排除しても、タッピンねじによるフロントキャビネットとバックキャビネットとの結合が十分でない場合、表示装置の強度は低下してしまう。
【０００５】
本発明は斯かる事情に鑑みてなされたものである。その目的は、製造工程を削減し、強度増大を実現することができる表示装置及びテレビ受信装置を提供することにある。
【課題を解決するための手段】
【０００６】
本願に係る表示装置は、前側に表示面を有する表示部と、該表示部の周縁部を取り囲むフロントキャビネットと、前記表示部の後側を覆うバックキャビネットとを備え、前記フロントキャビネットは、前記表示面の周縁部を覆う前面部と、該前面部の外周縁に沿って後側に周設され、前記表示部の外周面を取り囲む周面部とを有する表示装置において、前記フロントキャビネットは、前記周面部から隔離した内側に位置し、かつ該周面部の一又は全部に沿って該フロントキャビネットから後側に突出する突出板部を有し、前記バックキャビネットは、前記周面部及び突出板部の間又は該突出板部の先端面に対向するねじ挿通穴と、前記周面部及び突出板部の間に対向し、前側に延出する延出部とを有し、前記フロントキャビネット及びバックキャビネットは、前記ねじ挿通穴を後側から挿通し、前記周面部及び突出板部に又は該突出板部の先端面にねじ立てして螺合するタッピンねじの締結、並びに前記周面部及び突出板部の間の隙間への前記延出部の嵌合により結合されていることを特徴とする。
【０００７】
本願に係る表示装置では、表示部、フロントキャビネット及びバックキャビネットを備えている。表示部は前側に表示面を有する。フロントキャビネットは、表示部の周縁部を取り囲んでいる。バックキャビネットは、表示部の後側を覆っている。フロントキャビネットは、前面部、周面部及び突出板部を有する。前面部は、表示部の表示面の周縁部を覆っている。周面部は、前面部の外周縁に沿って後側に周設されており、表示部の外周面を取り囲んでいる。突出板部は、周面部よりも内側に位置しており、周面部の一部又は全部に沿って後側に突出している。バックキャビネットは、ねじ挿通穴及び延出部を有する。ねじ挿通穴は、周面部と突出板部の間又は突出板部の先端面に対向している。延出部は、周面部と突出板部との間に対向しており、前側に延出している。フロントキャビネット及びバックキャビネットは、タッピンねじの締結と、周面部及び突出板部の間に形成される隙間への延出部の嵌合とにより結合されている。タッピンねじは、バックキャビネットのねじ挿通穴を後側から挿通し、フロントキャビネットの周面部及び突出板部、又は突出板部の先端面にねじ立てして螺合する。
【０００８】
本願に係る表示装置は、前記突出板部は先端面に前記周面部の先端と略平行な溝を有し、前記フロントキャビネット及びバックキャビネットは前記突出板部の溝に螺合するタッピンねじの締結により結合されていることを特徴とする。
【０００９】
本願に係る表示装置では、突出板部の先端面に周面部の先端と略平行な溝が設けられている。フロントキャビネット及びバックキャビネットは、ねじ挿通穴を挿通し、突出板部の先端面に設けられた溝に螺合するタッピンねじの締結により結合されている。
【００１０】
本願に係る表示装置は、前記フロントキャビネットは前記周面部の内面から内側に張り出したリブを有し、前記突出板部は前記リブの後側面に突設されていることを特徴とする。
【００１１】
本願に係る表示装置では、リブがフロントキャビネットの周面部の内面から内側に張り出している。リブの後側面には突出板部が設けられている。
【００１２】
本願に係る表示装置は、前記突出板部は前記前面部の後側面から前記周面部及び表示部の間に張り出すように突設されていることを特徴とする。
【００１３】
本願に係る表示装置では、突出板部は前面部の後側面から周面部と表示部との間に張り出すように突設されている。
【００１４】
本願に係る表示装置は、前記延出部は前記バックキャビネットの外縁部から前側に延出していることを特徴とする。
【００１５】
本願に係る表示装置では、延出部はバックキャビネットの外縁部から前側に延出されている。
【００１６】
本願に係る表示装置は、前記延出部は前記バックキャビネットの外縁部の一又は全部に沿って周設されていることを特徴とする。
【００１７】
本願に係る表示装置では、延出部はバックキャビネットの外縁部の一部又は全部に沿って周設されている。
【００１８】
本願に係る表示装置は、前記フロントキャビネットは押出成形によって形成されていることを特徴とする。
【００１９】
本願に係る表示装置では、フロントキャビネットは押出成形によって形成される。
【００２０】
本願に係るテレビ受信装置は、上記に記載の表示装置と、テレビ放送を受信する受信部とを備え、前記表示装置は前記受信部が受信したテレビ放送の映像を表示するようにしてあることを特徴とする。
【００２１】
本願に係るテレビ受信装置では、上記に記載の表示装置及びテレビ放送を受信する受信部を備えている。表示装置は、受信部が受信したテレビ放送に係る映像を表示する。
【発明の効果】
【００２２】
本発明によれば、表示装置及びテレビ受信装置に関して製造工程を削減し、強度増大を実現することができる。
【図面の簡単な説明】
【００２３】
【図１】テレビ受信装置の概略斜視図である。
【図２】表示部、フロントキャビネット及びバックキャビネットの一例を分解した概略斜視図である。
【図３】フロントキャビネット及びバックキャビネットの一例の断面図である。
【図４】フロントキャビネット及びバックキャビネットの一例を分解した概略斜視図である。
【図５】表示部、フロントキャビネット及びバックキャビネットの一例の断面図である。
【図６】テレビ受信装置の概略斜視図である。
【図７】フロントキャビネットの一例の断面図である。
【図８】フロントキャビネットの後側上部を後側左斜め上から示した部分斜視図である。
【図９】バックキャビネットの概略斜視図である。
【図１０】バックキャビネットの一例の断面図である。
【図１１】バックキャビネットの後側上部を後側左斜め上から示した部分斜視図である。
【図１２】結合した状態のフロントキャビネット及びバックキャビネットの一例の断面図である。
【図１３】フロントキャビネットにバックキャビネットを取り付ける工程の一例を示す説明図である。
【発明を実施するための形態】
【００２４】
以下、本発明の一実施例における表示装置を、実施の形態を示す図面に基づいて説明する。本実施の形態に係る表示装置は、例えば液晶テレビ、プラズマテレビ、ワンセグ対応携帯電話等のテレビ受信装置を含む。また、本実施の形態に係る表示装置は、パーソナルコンピュータ、ＡＴＭ（Automatic Teller Machine）、券売機等の液晶ディスプレイ、有機ＥＬ（Electro Luminescence）ディスプレイ、ＳＥＤ（Surface-conduction Electron-emitter Display）等を含む。更に、本実施の形態に係る表示装置は、スマートフォン、
タブレット端末等のディスプレイを含む。以下では、表示装置の一例として、テレビ受信装置を挙げて説明する。
なお、本発明は、以下の実施の形態に限定されるものではない。
【００２５】
実施の形態１
図１は、テレビ受信装置１の概略斜視図である。ここで、テレビ受信装置１が映像を表示する表示面２１に対して視聴者が正対した場合、表示面２１から視聴者側を前側、その反対である表示面２１から奥側を後側とする。表示面２１は横長の略矩形であり、視聴者から表示面２１に向かって、表示面２１の長手方向右側を右、表示面の長手方向左側を左とする。また、視聴者から表示面２１に向かって、短手方向上側を上、短手方向下側を下とする。図１は、テレビ受信装置１を前側右斜め上から示している。
【００２６】
テレビ受信装置１は、表示部２、フロントキャビネット３、バックキャビネット４、受信部Ｔ、電源Ｐ及びスタンドＳを含む。表示部２は、前側のフロントキャビネット３により前側周縁部及び外周面が取り囲まれている。フロントキャビネット３は、内部に横長矩形状の開口３１ａを有し、表示部２の表示面２１は開口３１ａに露出している。後側のバックキャビネット４は、略平板状をなし、表示部２及び一部のフロントキャビネット３を後側から覆っている。
【００２７】
受信部Ｔ及び電源Ｐは、表示部２及びバックキャビネット４の間に取り付けられている。受信部Ｔは、テレビ放送を受信する。電源Ｐは、テレビ受信装置１に電力を供給する。テレビ受信装置１は、受信部Ｔが受信したテレビ放送に係る映像を表示部２の表示面２１に表示する。スタンドＳは、表示部２、フロントキャビネット３及びバックキャビネット４を起立状態で支持している。
【００２８】
図２は、表示部２、フロントキャビネット３及びバックキャビネット４の一例を分解した概略斜視図である。図２は、表示部２、フロントキャビネット３及びバックキャビネット４を後側右斜め上から示している。
表示部２は、映像を表示する表示面２１を前方に有し、全体として横長の直方体状をなす。表示部２は、図示しないベゼルを介してフロントキャビネット３又はバックキャビネット４に固定されてもよいし、ベゼルを用いずに、フロントキャビネット３及びバックキャビネット４により挟持されてもよい。
【００２９】
表示部２は、例えば液晶パネル及びバックライトを含む。バックライトはエッジライト方式でもよいし、直下型方式でもよい。バックライトがエッジライト方式である場合、光源はフロントキャビネット３の内面に設置され、光源からの発熱はフロントキャビネット３に移動する。バックライトが直下型方式である場合、光源は液晶パネルの後側に配置され、光源からの熱は例えばベゼルを介してフロントキャビネット３又はバックキャビネット４に移動するように、表示部２は構成されている。
【００３０】
表示部２が例えばプラズマディスプレイ、有機ＥＬディスプレイ等である場合、当該ディスプレイからの発熱がフロントキャビネット３又はバックキャビネット４に移動するように、表示部２は構成されている。
【００３１】
フロントキャビネット３又はバックキャビネット４は、金属製又は樹脂製である。フロントキャビネット３又はバックキャビネット４は、金属からなる場合、例えばアルミニウム製、鉄製、銅製等である。フロントキャビネット３は、例えば押出成形により形成される。バックキャビネット４は、金属からなる場合、例えばプレス加工により形成される。フロントキャビネット３又はバックキャビネット４は、鉄、銅等からなる場合、耐食性、美観等の観点から例えば電気亜鉛めっきが施されていてもよい。
【００３２】
図３は、フロントキャビネット３及びバックキャビネット４の一例の断面図である。図３は、フロントキャビネット３及びバックキャビネット４を表示面２１の法線及び上下方向に対して略平行な面で切断した断面上部の一部を示している。
フロントキャビネット３は、前面部３１及び周面部３２を含む。
前面部３１は、表示部２の表示面２１の周縁部を覆う矩形枠状部材である。前面部３１は、内部に略矩形の開口３１ａを有し、ユーザはこの開口３１ａにより、表示部２の表示面２１に表示された映像を見ることができるようになっている。
【００３３】
周面部３２は、前面部３１の外周縁から後側に突出する筒状の部材である。周面部３２は、後側から見て矩形枠状をなし、表示部２の周面を取り囲んで覆っている。
【００３４】
前面部３１と周面部３２とが会合するフロントキャビネット３の前側角部には、前面部３１及び周面部３２の外面と略平行な内面を有する細長い中空の穴３００が貫設されている。穴３００の長手方向は、表示面２１の法線及び表示部２の周面の法線に対して略垂直である。
図３に示すように、穴３００の長手方向に対して略垂直な面でフロントキャビネット３を切断した場合、穴３００の断面形状は矩形状である。
【００３５】
周面部３２の先端から少し前側の内面から、リブ３２１が内側に張り出すように突設されている。リブ３２１は、周面部３２の上下左右各面から１つずつ、合計４つ設けられている。各リブ３２１の後側面から後側に向かって、周面部３２に沿ってあるいは周面部３２と略平行に突出板部３２２が突設されている。突出板部３２２は細長い板状をなし、その先端面の略中央には突出板部３２２の長手方向に伸びるスリット状のスリット溝３２３が形成されている。また、突出板部３２２と周面部３２との間には、隙間又は空隙である周面溝３２４が形成されている。スリット溝３２３と周面溝３２４とにおいて、溝の深さ、溝幅、断面形状等は同じであってもよいし、異なっていてもよい。
【００３６】
バックキャビネット４は、表示部２及び一部のフロントキャビネット３を後側から覆う矩形板状部材である。フロントキャビネット３の周面溝３２４と対向するバックキャビネット４の外縁端からは、延出部４１が前側に延出している。図３における延出部４１及びバックキャビネット４外縁の断面形は、略Ｌ字形を呈する。延出部４１は、バックキャビネット４の外縁端に沿って周設されている。延出方向に沿った延出部４１の長さは、周面溝３２４の深さと略同一である。延出部４１の肉厚は、延出部４１の基部では薄く、前側の先端部分では厚くなっている。延出部４１の先端部の肉厚は周面溝３２４の溝幅と同じ又は周面溝３２４の溝幅より大きい。延出部４１の先端部及び肉厚が薄い延出部４１の外側部分は周面溝３２４に嵌合可能に構成されている。延出部４１は、周面溝３２４の長手方向（図３の紙面に対して略直角方向）に対して略平行に、延設されている。そのため、延出部４１の外面と周面溝３２４の内面とは、肉厚が薄い延出部４１の内側部分を除いて、レール状に接している。
【００３７】
なお、延出部４１は、前側ほど肉厚が薄くなる楔状であってもよい。あるいは、延出部４１の肉厚は一定でもよい。延出部４１の延設方向の長さは、周面溝３２４の長さと同じでもよいし、異なっていてもよい。
また、周面部３２の上下左右の各面に対応する延出部４１の数は、１つではなく、複数であってもよい。すなわち、延出部４１は、バックキャビネット４の外縁部の一部に沿って途切れ途切れに周設されていてもよいし、バックキャビネット４の外縁部の全部に沿って連続して周設されていてもよい。
【００３８】
フロントキャビネット３のスリット溝３２３と対向するバックキャビネット４の位置には円形のねじ挿通穴４２が設けられている。１つのスリット溝３２３に対応するねじ挿通穴４２の数は、図２の例では７つ又は５つである。しかし、１つのスリット溝３２３に対応するねじ挿通穴４２の数は、これに限るものではなく、７つ又は５つ以外であってもよい。１つのスリット溝３２３に対応するねじ挿通穴４２の数は、対応するスリット溝３２３が異なる場合、異なっていてもよい。
【００３９】
タッピンねじ５の軸部の外径の大きさは、スリット溝３２３の溝幅よりも若干大きい値に設定されている。あるいは、スリット溝３２３の溝幅は、タッピンねじ５の外径よりも若干狭い幅に設定されている。
ねじ挿通穴４２の後側からタッピンねじ５をスリット溝３２３に螺合することにより、バックキャビネット４はフロントキャビネット３に結合される。従って、ねじ挿通穴４２の径の大きさは、タッピンねじ５の軸部が挿通可能な大きさである。タッピンねじ５の素材は、例えば鉄、アルミニウム、ステンレス等である。タッピンねじ５の頭部は、ナベ頭、皿頭、トラス頭等何でもよく、特定の形状に限定されない。
【００４０】
次に、テレビ受信装置１の組み立て方法の概要について説明する。
フロントキャビネット３の前側を下にし、フロントキャビネット３を水平面上に置く。フロントキャビネット３の上に表示部２を重ねる。ベゼルを介して表示部２をフロントキャビネット３に固定する場合、ビスで表示部２とベゼルとを固定する。
【００４１】
フロントキャビネット３の周面溝３２４及び周面溝３２４に対応するバックキャビネット４の延出部４１が対向するように、フロントキャビネット３に対してバックキャビネット４の位置決めを行う。延出部４１を周面溝３２４に嵌合し、フロントキャビネット３とバックキャビネット４とを結合する。
タッピンねじ５をバックキャビネット４のねじ挿通穴４２に後側から挿通し、タッピンねじ５の軸部をスリット溝３２３にねじ立てして螺合する。
【００４２】
ベゼルを用いずに、表示部２をフロントキャビネット３及びバックキャビネット４で挟持する場合、周面溝３２４に対する延出部４１の嵌合及びスリット溝３２３に対するタッピンねじ５の締結により、表示部２はフロントキャビネット３及びバックキャビネット４に押圧され、挟持される。
ベゼルを用いて表示部２をフロントキャビネット３及び／又はバックキャビネット４に固定する場合、表示部２はフロントキャビネット３及びバックキャビネット４に挟持されてもよいし、されなくてもよい。
【００４３】
テレビ受信装置の大型化にともない、キャビネットの金型費は増大傾向にある。一方、コスト削減のためにフロントキャビネット３を金属材料の押出成形により形成した場合、ビス止めのための穴を別途成形する必要がある。
テレビ受信装置１によれば、フロントキャビネット３とバックキャビネット４とは、フロントキャビネット３のスリット溝３２３に螺合するタッピンねじ５により結合される。スリット溝３２３は押出成形により形成することができる構造である。押出成形されたフロントキャビネット３と、プレス加工により成形されたバックキャビネット４とをタッピンねじ５を用いて結合する場合、金型及びタップ加工は不要であり、コスト削減を実現することができる。
【００４４】
スリット溝３２３に螺合するタッピンねじ５の数及び締結位置は、特に限定されない。スリット溝３２３は長手方向に連続しているため、タッピンねじ５の数及び締結位置は、キャビネットの設計変更にともない、自由に変更可能である。
【００４５】
テレビ受信装置１によれば、バックキャビネット４の延出部４１がフロントキャビネット３の周面溝３２４に嵌合することにより、フロントキャビネット３及びバックキャビネット４は結合される。タッピンねじ５の螺合によるフロントキャビネット３及びバックキャビネット４の結合に加えて、周面溝３２４に対する延出部４１の嵌合は、フロントキャビネット３及びバックキャビネット４の結合強度を大きくすることができる。
【００４６】
テレビ受信装置１によれば、フロントキャビネット３とバックキャビネット４との間で熱が移動する通り道は、突出板部３２２とバックキャビネット４との接触部分、及びタッピンねじ５を含む。更にフロントキャビネット３とバックキャビネット４との間で熱が移動する通り道は、バックキャビネット４の延出部４１とフロントキャビネット３の周面溝３２４との接触部分も含む。従って、フロントキャビネット３とバックキャビネット４との間を移動する熱量は、フロントキャビネット３とバックキャビネット４とをねじ止めするだけである場合に比べて、延出部４１と周面溝３２４との接触面積の分だけ多い。そのため、表示部２からの発熱は一旦フロントキャビネット３又はバックキャビネット４に移動した後、夫々バックキャビネット４又はフロントキャビネット３に移動する。これにより、キャビネット全体からの放熱が可能となり、放熱効率が上昇する。
なお、フロントキャビネット３とバックキャビネット４との接触面積を増大させるために、例えば突出板部３２２の後側部分から内側に伸びる部分をバックキャビネット４と接触する状態で延設してもよい。これにより、フロントキャビネット３とバックキャビネット４との接触面積は更に増大し、放熱効率をより上昇させることができる。
【００４７】
上述では、突出板部３２２にスリット溝３２３を設けたが、突出板部３２２にスリット溝３２３を設けなくてもよい。
図４は、フロントキャビネット３及びバックキャビネット４の一例を分解した概略斜視図である。図４は、表示部２を省略し、フロントキャビネット３及びバックキャビネット４の一部を後側斜め上から示している。
バックキャビネット４の延出部４１は複数の切欠き４１ａを有し、切欠き４１ａ部分に対応する位置にねじ挿通穴４２が設けられている。延出部４１及びねじ挿通穴４２は、周面溝３２４と対向し、一直線状に配列している。延出部４１は周面溝３２４に嵌合され、タッピンねじ５は後側からねじ挿通穴４２を挿通し、周面溝３２４に螺合される。
延出部４１に設けられる切欠き４１ａの数は特に限られない。切欠き４１ａの数を図４に示した頻度より多くし、延出部４１の形状を櫛の歯、又は鋸の歯のように凸凹が交互に並んだ形状にしてもよい。
スリット溝３２３を設けないことにより、スリット溝３２３の溝幅分だけ突出板部３２２の幅を狭めることができるため、テレビ受信装置１の狭額縁化に資する。
【００４８】
フロントキャビネット３を樹脂材料の押出成形により形成した場合、突出板部３２２にスリット溝３２３を設けてもよいし、設けなくてもよい。突出板部３２２にスリット溝３２３を設けない場合、ねじ先がとがっており、素材が樹脂より硬い金属であるタッピンねじ５を用いる。
【００４９】
なお、図４において、周面部３２の上下左右の各面に対応するリブ３２１の数は、１つである。リブ３２１は、周面部３２の上下左右の長軸方向の長さより少し短い長さである。また、周面部３２の上下左右の各面に対応する突出板部３２２の長軸方向の長さも、周面部３２の上下左右の長軸方向の長さより少し短い長さである。しかし、図４の延出部４１のように、リブ３２１及び突出板部３２２に切欠きを設けてもよい。かかる場合、周面部３２の上下左右の各面に対応するリブ３２１及び突出板部３２２の数は、複数となる。すなわち、リブ３２１及び突出板部３２２は、周面部３２の一部に沿って途切れ途切れに設けられてもよいし、周面部３２の全部に沿って連続的に周設されてもよい。
【００５０】
上述では、バックキャビネット４は、フロントキャビネット３の一部を後側から覆っている。しかし、バックキャビネット４はフロントキャビネット３の全部を後側から覆ってもよい。例えば、後側から見たバックキャビネット４の外周形状及び大きさを、前側から見たフロントキャビネット３の外周形状及び大きさと略同一にする。かかる場合、正面から見た前面部３１の外周と、後側から見たバックキャビネット４の外周とは略一致する。延出部４１は、周面溝３２４と対向するように後側に延設される点は、上述と同じである。ただし、バックキャビネット４の外縁部には、延出部４１の外側に周面部３２の厚みと略同一幅のフランジが形成される。そして、バックキャビネット４の外縁部付近及び延出部４１の水平断面形状又は表示面２１の法線と略平行な垂直断面形状は、略Ｔ字形を呈する。
【００５１】
実施の形態２
実施の形態２は、突出板部３２２をフロントキャビネット３の前面部３１から後側に設置する形態に関する。
図５は、表示部２、フロントキャビネット３及びバックキャビネット４の一例の断面図である。図５は、表示部２、フロントキャビネット３及びバックキャビネット４を表示面２１の法線及び上下方向に対して平行な面で切断した断面のうち、上部断面の一部を示している。図５では、タッピンねじ５は省略されている。
【００５２】
表示部２は、映像を表示する表示面２１を前側に有し、全体として横長の直方体状をなす。表示部２は、液晶パネル２２、拡散シート２３、導光板２４及び反射シート２５を含む。前側から後側へ向かって、液晶パネル２２、拡散シート２３、導光板２４及び反射シート２５の順に、これらの部材は積層されている。
【００５３】
表示部２の液晶パネル２２は、いわゆるエッジライト方式により後方から照射された光を用いて映像を表示する。なお、液晶パネル２２は、直下型方式により光を照射されてもよい。
導光板２４は、直方体状をなし、アクリル、ポリカーボネイト等の光透過性に優れた透明樹脂からなる。導光板２４の表面には、例えばドットパターン又は梨皮の表面のようにざらついた粗面が成型されている。後述するＬＥＤ（Light Emitting Diode）３５からの光が導光板２４の周面に入射するように、導光板２４とＬＥＤ３５とは位置決めされている。
【００５４】
反射シート２５は、反射性のよい白色樹脂からなり、導光板２４に入射した光を反射し、反射した光を導光板２４に戻す機能を有する。反射シート２５の表面には、反射性のよい塗料が塗布されていてもよい。導光板２４及び反射シート２５は、ＬＥＤ３５からの入射光を均一化し、拡散シート２３に出射する。
【００５５】
拡散シート２３は、樹脂製の板状部材に光散乱粒子が分散配合されてなる。拡散シート２３は、導光板２４から前側に出射された光を拡散し、均一化された輝度分布を有する光を液晶パネル２２に照射する。
【００５６】
液晶パネル２２は、拡散シート２３からの照射光を変調し、前側の表示面２１に映像を表示する。なお、液晶パネル２２は、プリズムシート、偏光シート等の公知の光学シート材が必要に応じて適宜積層する構成を備えてもよい。
なお、液晶パネル２２の前側周縁部は、弾性部材Ｅを介してフロントキャビネット３から押さえられている。弾性部材Ｅは、例えば高密度マイクロセルポリウレタンフォームである。
【００５７】
フロントキャビネット３の前面部３１と周面部３２とが会合する前側角部の外側面は緩やかに湾曲している。当該前側角部の前面部３１の肉厚は、他の部分より厚く、この厚い前側角部はフロントキャビネット３に堅牢さを付与している。
【００５８】
フロントキャビネット３は、突出板部３２２を含む。
突出板部３２２は、前面部３１の後側面から後側へ周面部３２に沿って、あるいは周面部３２に対して略平行に、周面部３２と表示部２との間に張り出すように突設されている。突出板部３２２の後側先端の位置は、周面部３２の後側先端の位置より前側にある。突出板部３２２は、細長い板状をなし、前面部３１の上下左右各辺に対応するように、合計４つが設けられている。突出板部３２２の先端面には、周面部３２の先端に対して略平行にスリット溝３２３が延設されている。また、突出板部３２２と周面部３２との間には、隙間又は空隙である周面溝３２４が形成されている。
なお、リブ３２１及び突出板部３２２は、周面部３２の一部に沿って途切れ途切れに設けられてもよいし、周面部３２の全部に沿って連続的に周設されてもよい。
【００５９】
導光板２４が有する上面部及び下面部と夫々対向する突出板部３２２の基部には、アルミニウム製のＬＥＤ基板３４が夫々１枚ずつビス止めされている。ＬＥＤ基板３４は、導光板２４の周面の長手方向と略平行な細長い矩形状をなす。ＬＥＤ基板３４の長手方向は、導光板２４の周面の法線及び表示面２１の法線に直交する方向と略同一でもある。
【００６０】
なお、ＬＥＤ基板３４は、リブ３２１の基部に対して高熱伝導性の両面テープにより接着されていてもよい。また、ＬＥＤ基板３４は、導光板２４が有する左右２面の側面と夫々対向するリブ３２１の基部に設けられてもよいし、導光板２４が有する上下左右４面の周面と夫々対向するリブ３２１の基部に設けられてもよい。
【００６１】
ＬＥＤ基板３４の上には、複数のＬＥＤ３５がＬＥＤ基板３４の長手方向と略平行な方向に配列して取り付けられている。図５の上部断面において、ＬＥＤ３５は略中央に位置する。
なお、ＬＥＤ３５は、導光板２４に光を射出する光源の一例であり、当該光源は例えば電球、熱陰極蛍光灯、ＥＬ（Electro Luminescence）、冷陰極管等でもよい。
【００６２】
フロントキャビネット３の前側角部には、角部頂点の辺方向に対して略平行に細長い穴３００が設けられている。あるいは、穴３００は、ＬＥＤ３５の配列方向と略平行に伸びている。穴３００の長手方向に対して略垂直な面でフロントキャビネット３を切断した場合、その穴３００の形状はフロントキャビネット３の外面と略平行な内面を持つ略多角形である。例えば、図５の例では、周面部３２の外面は、後側から前側にかけて上側にせり出しており、穴３００の上側の内面は後側から前側にかけて上側に傾斜している。図５の例では、ＬＥＤ基板３４に近い後側かつ下側の穴３００の内面は、穴３００の内部に突出している。図５の例における穴３００の断面形状は、略四角形の一隅角を内側に突出させた略六角形である。従って、ＬＥＤ基板３４に近い後側かつ下側の穴３００の部分の容積は、穴３００の他の部分の容積より小さい。
なお、長手方向に対して略垂直な面で切断した場合の穴３００の形状は、多角形、円形、楕円形、不規則形等何でもよい。また、穴３００の本数は１本に限るものではなく、ＬＥＤ３５の配列方向と略同一方向の穴３００が複数あってもよい。
【００６３】
バックキャビネット４の延出部４１は、周面溝３２４に沿って、周面溝３２４と対向するバックキャビネット４の外縁端を縁取るように、前側に延出している。延出部４１の肉厚は周面溝３２４の溝幅と同一又は周面溝３２４の溝幅より大きく、延出部４１は周面溝３２４に嵌合可能に構成されている。図５では見やすくするために、延出部４１の肉厚は薄く描かれている。延出部４１は、周面溝３２４の長手方向に対して平行に延設されている。
ねじ挿通穴４２の後側からタッピンねじ５をスリット溝３２３に螺合することにより、バックキャビネット４はフロントキャビネット３に結合される。また、延出部４１が周面溝３２４に嵌合することでも、バックキャビネット４はフロントキャビネット３に結合される。
なお、延出部４１は、バックキャビネット４の外縁部の一部に沿って途切れ途切れに周設されていてもよいし、バックキャビネット４の外縁部の全部に沿って連続して周設されていてもよい。
【００６４】
次に、テレビ受信装置１の組み立て方法の概要について説明する。
フロントキャビネット３の前側を下にし、フロントキャビネット３を水平面上に置く。フロントキャビネット３の上に、液晶パネル２２、拡散シート２３、導光板２４及び反射シート２５をこの順で累積させる。
フロントキャビネット３の周面溝３２４にバックキャビネット４の延出部４１が対向するように、フロントキャビネット３に対してバックキャビネット４の位置決めを行う。延出部４１を周面溝３２４に嵌合し、フロントキャビネット３とバックキャビネット４とを結合する。タッピンねじ５をバックキャビネット４のねじ挿通穴４２に後側から挿通し、タッピンねじ５の軸部をスリット溝３２３に螺合する。
【００６５】
テレビ受信装置１によれば、発熱体であるＬＥＤ３５はフロントキャビネット３に設置されている。突出板部３２２は、ＬＥＤ３５に近い位置に設けられており、ＬＥＤ３５の熱をすばやくバックキャビネット４に伝えることができる。これにより、キャビネット全体の放熱効果の上昇を図ることができる。
【００６６】
テレビ受信装置１によれば、ユーザが触れる機会の多いフロントキャビネット３の前側角部に穴３００が設けられている。フロントキャビネット３が例えば金属からなる場合、穴３００は金属よりも熱伝導率が小さい空気で占められている。そのため、穴３００は、ＬＥＤ３５からフロントキャビネット３の前側角部へ移動する熱流量を少なくすることができる。従って、穴３００は、ユーザがフロントキャビネット３の前側角部に触れた場合、ユーザに熱さを感じさせ難くする効果がある。
また、フロントキャビネット３に穴３００を設けることにより、穴３００の容積分の材料を節約することができる。
なお、穴３００に熱伝導率が小さい断熱材を充填してもよい。熱伝導率が小さい断熱材は、例えばグラスウール、ロックウール、ウレタンフォーム、フェノールフォーム、セルローズファイバー、羊毛等である。
【００６７】
上述では、突出板部３２２にスリット溝３２３を設けたが、スリット溝３２３は設けられなくてもよい。図４に示したように、延出部４１及びねじ挿通穴４２を、周面溝３２４と対向する一直線状に配列してもよい。これにより、延出部４１は周面溝３２４に嵌合され、タッピンねじ５は周面溝３２４に螺合される。
スリット溝３２３を設けないことにより、スリット溝３２３の幅だけ突出板部３２２の幅を狭くすることができるため、テレビ受信装置１の狭額縁化に資する。スリット溝３２３を設けない場合、スリット溝３２３を除いた突出板部３２２の幅を更に狭くしてもよい。
【００６８】
実施の形態２は以上の如きであり、その他は実施の形態１と同様であるので、対応する部分には同一の参照番号を付してその詳細な説明、作用及び効果を省略する。
【００６９】
実施の形態３
実施の形態３は、バックキャビネット４をフロントキャビネット３の上側の周面部３２から吊り下げる構造に関する。バックキャビネット４は、周面部３２に吊り下げられることで、フロントキャビネット３に対して仮固定される。そのため、作業者はバックキャビネット４をフロントキャビネット３又は表示部２にねじ止め等をする際、バックキャビネット４が移動しないように手で押さえる必要がない。従って、バックキャビネット４をフロントキャビネット３に吊り下げる構造は、テレビ受信装置１の組み立て作業効率を向上させる。
【００７０】
図６は、フロントキャビネット３の概略斜視図である。図６は、フロントキャビネット３を後側左斜め上から示している。フロントキャビネット３の内部には、略直方体の表示部２が収納される空間が形成されている。表示部２が収納される空間の一部は、フロントキャビネット３後側において矩形状の開口をなしている。フロントキャビネット３の外周は、筒状の周面部３２から構成されている。後側正面から見たフロントキャビネット３の外周は、矩形状をなす。
【００７１】
下側の周面部３２は略水平かつ平らである。一方、上側の周面部３２は、周面部３２の長辺方向と略平行な棟３２８を有する屋根形状をなす。棟３２８から後側端までの長さは棟３２８から前側端までの長さより長い。上側の周面部３２において、棟３２８から後側端までの部分は略水平であるが、棟３２８から前側端までの部分は前側に傾斜している。
【００７２】
左右側方の周面部３２は、フロントキャビネット３外周の短辺と略平行な棟３２９を有す形状をなす。側方の周面部３２において、棟３２９から後側端までの長さは棟３２９から前側端までの長さより長い。上側の周面部３２の棟３２８と左右側方の周面部３２の棟３２９とは、フロントキャビネット３の上側角部において連続している。
【００７３】
図７は、フロントキャビネット３の一例の断面図である。図７は、フロントキャビネット３を表示面２１の法線及び上下方向に対して略平行な面で切断した断面上部の一部を示している。
フロントキャビネット３の上側の周面部３２は、その後側端が図７において時計回りのロール状に折り込まれたフック状をなす。上側の周面部３２は、その後側端から下に屈曲し、下に延びた上部後面部３２ａ及び上部後面部３２ａの下端から前側に屈曲し、前側に延びた吊り下げ爪部３２ｂを含む。吊り下げ爪部３２ｂの下には、リブ３２１の後側面から後側に突出した突出板部３２２が配置し、周面部３２及び吊り下げ爪部３２ｂと突出板部３２２との間に周面溝３２４が形成されている。
【００７４】
図８は、フロントキャビネット３の後側上部を後側左斜め上から示した部分斜視図である。上部後面部３２ａ及び吊り下げ爪部３２ｂが設けられた上側の周面部３２は、フロントキャビネット３の長辺方向に延びている。スリット溝３２３が設けられた突出板部３２２もまた、フロントキャビネット３の長辺方向に延びている。そのため、周面部３２、上部後面部３２ａ、吊り下げ爪部３２ｂ、周面溝３２４、突出板部３２２及びスリット溝３２３を含むフロントキャビネット３の後側上部は、複雑なレール状をなす。
後側から見た周面溝３２４の上部は上部後面部３２ａにより隠蔽されている。そのため、周面溝３２４の開口面の面積は、周面溝３２４の後側端及び前側端の中間を表示面２１と平行な面で切断した断面積より狭い。吊り下げ爪部３２ｂは周面溝３２４の奥端内面（前側端内面）まで達していないので、周面溝３２４が占める隙間の体積は奥側（前側）の方が後側より大きい。
【００７５】
なお、図８は、フロントキャビネット３の後側上部をわかりやすく示すために、上部後面部３２ａ、吊り下げ爪部３２ｂ及び突出板部３２２が角部付近で切断されている。しかし、実際には上部後面部３２ａ、吊り下げ爪部３２ｂ及び突出板部３２２は、両側方の周面部３２まで延びている（図６参照）。そのため、フロントキャビネット３は、その複雑な構造にもかかわらず、押出成形により作成容易である。
【００７６】
図９は、バックキャビネット４の概略斜視図である。図９は、バックキャビネット４を後側左斜め上から示している。後側正面から見たバックキャビネット４は、矩形状をなす。バックキャビネット４の周縁部には、タッピンねじ５を挿通するねじ挿通穴４２が設けられている。タッピンねじ５は、フロントキャビネット３のスリット溝３２３にねじ立てしてフロントキャビネット３及びバックキャビネット４を結合する結合手段である。図９の例では、バックキャビネット４の上部及び下部長辺に沿って夫々４つ、左右側方短辺に沿って夫々１つのねじ挿通穴４２が設けられている。
【００７７】
バックキャビネット４は、表示部２及びフロントキャビネット３の外周縁部を覆う板状部材である。フロントキャビネット３の周面溝３２４と対向するバックキャビネット４の周縁部には、延出部４１が周面溝３２４に沿って前側に延出している。ただし、バックキャビネット４の上部に設けられた延出部４１は、複数の切欠き４１ａを有する。そのため、延出部４１は、複数に分割されている。図９の例では、バックキャビネット４の上部に設けられた延出部４１は３つの切欠き４１ａを有し、４つの延出部４１に分割されている。図９の例では、バックキャビネット４の上部長辺に沿って配設されたねじ挿通穴４２は、４つの延出部４１の略中央に対応する位置に夫々１つずつ設けられている。
バックキャビネット４上部の延出部４１は、更に上部に向かって延設及び屈曲した構造部を有する。
【００７８】
図１０は、バックキャビネット４の一例の断面図である。図１０は、バックキャビネット４を表示面２１の法線及び上下方向に対して略平行な面で切断した断面上部の一部を示している。
バックキャビネット４の上部は、前側に突出した延出部４１が、図１０において時計回りのロール状に折り込まれたフック状をなす。あるいは、図１０の断面上では、バックキャビネット４の上部は柄杓形状である。当該柄杓の合の部分が上側に位置し、柄の部分が下側に位置する。
【００７９】
バックキャビネット４の上部は、延出部４１の前側端から上に屈曲し、上に延びた上部延出部４１ｂ及び上部延出部４１ｂの上端から後側に屈曲し、後側に延びた係止爪部４１ｃを含む。延出部４１と係止爪部４１ｃとは、上部延出部４１ｂの夫々下端及び上端から後側に延びており、その延びる方向は略同一である。延出部４１と係止爪部４１ｃとは、対向し合う位置関係にあり、延出部４１及び係止爪部４１ｃ夫々における上部延出部４１ｂから後側に延びる方向の長さは、延出部４１の方が長い。そのため、図９及び図１０において、係止爪部４１ｃの先端は、ねじ挿通穴４２が設けられたバックキャビネット４の周縁部よりも前側に位置する。
なお、前後方向における延出部４１と係止爪部４１ｃとの長さの差は、フロントキャビネット３における上部後面部３２ａの肉厚と略同一である。あるいは、係止爪部４１ｃの先端は、フロントキャビネット３における上部後面部３２ａの肉厚に対応する大きさだけ、バックキャビネット４の周縁部よりも前側に位置する。これにより、バックキャビネット４をフロントキャビネット３に取り付けた場合、テレビ受信装置１の後側面は平坦となり、美観を保つことができるように構成されている。
【００８０】
係止爪部４１ｃの先端は、下側に略１８０度折り曲げられて形成された係止爪折り曲げ部４１ｄを有する。そのため、係止爪部４１ｃの後側端部の肉厚と係止爪折り曲げ部４１ｄの肉厚とを合わせた肉厚は、バックキャビネット４の他の部分の肉厚より厚い。
係止爪折り曲げ部４１ｄは、人が係止爪部４１ｃの後側先端に触れた場合、誤って怪我をしないように、丸味を帯びさせる目的から設けられている。
なお、組み立て作業時の安全性が担保される場合、係止爪折り曲げ部４１ｄはなくてもよい。例えば、係止爪部４１ｃの先端が丸みを帯びた形状に成形された場合、係止爪折り曲げ部４１ｄはなくてもよい。
【００８１】
図１１は、バックキャビネット４の後側上部を後側左斜め上から示した部分斜視図である。
上述の延出部４１、上部延出部４１ｂ、係止爪部４１ｃ及び係止爪折り曲げ部４１ｄは、バックキャビネット４の長辺方向に延びている。そのため、延出部４１、上部延出部４１ｂ、係止爪部４１ｃ及び係止爪折り曲げ部４１ｄを含むバックキャビネット４の上部は、切欠き４１ａを有するレール状をなす。
【００８２】
図１２は、結合した状態のフロントキャビネット３及びバックキャビネット４の一例の断面図である。図１２は、フロントキャビネット３及びバックキャビネット４を夫々表示面２１の法線及び上下方向に対して略平行な面で切断した断面上部の一部を示している。
バックキャビネット４の延出部４１、上部延出部４１ｂ、係止爪部４１ｃ及び係止爪折り曲げ部４１ｄは、フロントキャビネット３の屈曲した周面溝３２４内に入り込んでいる。すなわち、バックキャビネット４上部に設けられたフック構造とフロントキャビネット３上部に設けられたフック構造とが互い違いに噛合し合うように、あるいは係合するように、フロントキャビネット３及びバックキャビネット４は結合している。そして、バックキャビネット４の係止爪部４１ｃ及び係止爪折り曲げ部４１ｄは、フロントキャビネット３の吊り下げ爪部３２ｂに係止されている。そのため、バックキャビネット４はフロントキャビネット３に吊り下げられた状態にある。図１２では、フロントキャビネット３及びバックキャビネット４は、更にタッピンねじ５の締結により、結合されている。
【００８３】
フロントキャビネット３又はバックキャビネット４は、金属製又は樹脂製である。フロントキャビネット３又はバックキャビネット４は、金属からなる場合、例えばアルミニウム製、鉄製、銅製等である。フロントキャビネット３を構成する部材（例えば、周面部３２、上部後面部３２ａ及び吊り下げ爪部３２ｂ）は、例えば押出成形により形成される。バックキャビネット４は、金属からなる場合、例えばプレス加工により形成される。フロントキャビネット３又はバックキャビネット４は、鉄、銅等からなる場合、耐食性、美観等の観点から例えば電気亜鉛めっきが施されていてもよい。
【００８４】
次に、テレビ受信装置１の組み立て方法の一部について説明する。
図１３は、フロントキャビネット３にバックキャビネット４を取り付ける工程の一例を示す説明図である。図１３Ａは、取り付け工程の前段階を示す説明図である。図１３Ｂ及び図１３Ｃは、取り付け工程の中間段階を示す説明図である。図１３Ｄは、取り付け工程の後半段階を示す説明図である。なお、先に示した図１２は、取り付け工程の完了段階を示している。
【００８５】
表示部２が取り付けられたフロントキャビネット３を起立状態にする。バックキャビネット４の下側が手前、上側（上部延出部４１ｂが設けられた側）が先になるように、バックキャビネット４を両手で把持する。また、表示部２を覆うバックキャビネット４の表側平坦部が上向きかつ略水平になるようにバックキャビネット４を両手で把持する。フロントキャビネット３の後側からバックキャビネット４の中央をフロントキャビネット３の上部中央に近づける。すなわち、フロントキャビネット３に対するバックキャビネット４の上下位置及び左右位置について、大まかな位置合わせをする。
【００８６】
バックキャビネット４の平坦部が略水平である状態を維持し、フロントキャビネット３における上部後面部３２ａ下側の周面溝３２４に、バックキャビネット４の係止爪部４１ｃ及び係止爪折り曲げ部４１ｄをゆっくりと挿入する（図１３Ａ）。
【００８７】
係止爪部４１ｃ及び係止爪折り曲げ部４１ｄを吊り下げ爪部３２ｂの先端よりも奥側（前側）の周面溝３２４内部に挿入した場合、延出部４１及び係止爪部４１ｃの間に吊り下げ爪部３２ｂが収まるように、少しバックキャビネット４を持ち上げる。その後、係止爪部４１ｃ及び係止爪折り曲げ部４１ｄが吊り下げ爪部３２ｂに係止されるように、バックキャビネット４を回転させる（図１３Ｂ、図１３Ｃ及び図１３Ｄ）。その際の回転軸は、バックキャビネット４の長辺に略平行であり、延出部４１及び係止爪部４１ｃの間の領域を貫く軸を回転軸とする。また、その際の回転方向は両手で把持したバックキャビネット４の手前側端がフロントキャビネット３の下部に近づく方向である。あるいは、その際の回転方向は、図１３において時計回りの方向である。
【００８８】
取り付け工程の後半段階においては（図１３Ｄ）、係止爪部４１ｃ及び係止爪折り曲げ部４１ｄの先端が上部後面部３２ａの前側面（裏側面）に当接するように、バックキャビネット４を回転するとよい。係止爪部４１ｃ及び係止爪折り曲げ部４１ｄが吊り下げ爪部３２ｂに係止された場合、バックキャビネット４はフロントキャビネット３に吊り下げられた状態になり、フロントキャビネット３に対するバックキャビネット４の仮固定は完了する（図１２）。このとき、フロントキャビネット３に対するバックキャビネット４の上下方向及び左右方向に関する位置決めは完了している。
【００８９】
バックキャビネット４の下方及び側方に設けた延出部４１を、これらと対向するフロントキャビネット２の周面溝３２４に挿入する。バックキャビネット４周縁部のねじ挿通穴４２からタッピンねじ５を挿入し、挿入したタッピンねじ５をフロントキャビネット３のスリット溝３２３に螺合させ、バックキャビネット４をフロントキャビネット３に固定する。
【００９０】
テレビ受信装置１によれば、バックキャビネット４をフロントキャビネット３又は表示部２に取り付ける際、バックキャビネット４をフロントキャビネット３に仮固定することができる。
バックキャビネット４をフロントキャビネット３に仮固定することで、フロントキャビネット３に対するバックキャビネット４の上下方向に関する位置決めは完了する。また左右の側方方向に関する位置決めも完了する。
従来、バックキャビネット４をフロントキャビネット３又は表示部２に取り付ける際、作業者は手でバックキャビネット４をフロントキャビネット３又は表示部２に押さえた状態で、ねじ止め等の締結作業をしなければならなかった。しかし、テレビ受信装置１のバックキャビネット４は、吊り下げ爪部３２ｂ並びに係止爪部４１ｃ及び係止爪折り曲げ部４１ｄにより、フロントキャビネット３に対して仮固定される。そのため、作業者はバックキャビネット４を手で押さえることなく、また位置決め作業をすることなく、ねじ止め等の締結作業に移行することができる。そのため、フロントキャビネット３に対するバックキャビネット４の吊り下げ構造は、テレビ受信装置１の組み立て作業効率を向上させることができる。
【００９１】
テレビ受信装置１によれば、テレビ受信装置１の組み立て作業は、表示面２１が鉛直方向と略平行な起立状態で行われる。そのため、テレビ受信装置１が載置される床面積は、フロントキャビネット３を水平面に載置して組み立てる場合の床面積よりも、狭くて済む。そのため、テレビ受信装置１は、組み立て作業場のスペースを少なくすることができる。
【００９２】
バックキャビネット４上部の延出部４１、上部延出部４１ｂ、係止爪部４１ｃ及び係止爪折り曲げ部４１ｄには、切欠き４１ａが設けられているが、切欠き４１ａと対向するフロントキャビネット３の吊り下げ爪部３２ｂ部分にも切欠きが設けられてよい。これにより、フロントキャビネット３及びバックキャビネット４に関して、切欠き部分の材料を節約することができる。
【００９３】
図１２において、フロントキャビネット３の上部後面部３２ａとバックキャビネット４の延出部４１との間には隙間が形成されている。この隙間は、充填部材で充填されてもよい。
バックキャビネット４をフロントキャビネット３に取り付ける際、バックキャビネット４の延出部４１、上部延出部４１ｂ、係止爪部４１ｃ及び係止爪折り曲げ部４１ｄは、周面溝３２４の内部で回転する。そのため、延出部４１と係止爪部４１ｃ及び係止爪折り曲げ部４１ｄとの間は、余裕を持った隔たりになっている。その結果、フロントキャビネット３に対するバックキャビネット４の取り付け後、フロントキャビネット３の上部後面部３２ａとバックキャビネット４の延出部４１との間には隙間が形成される。この隙間（立体的には溝）が美観に差し支える場合、隙間を充填部材で充填することにより、テレビ受信装置１の後側面は平坦になり、美観を損なわない。
【００９４】
実施の形態３は以上の如きであり、その他は実施の形態１、２と同様であるので、対応する部分には同一の参照番号を付してその詳細な説明、作用及び効果を省略する。
【符号の説明】
【００９５】
１      テレビ受信装置
２      表示部
２１    表示面
３      フロントキャビネット
３１    前面部
３２    周面部
３２ｂ  吊り下げ爪部
３２２  突出板部
３２３  スリット溝
３２４  周面溝（隙間）
４      バックキャビネット
４１    延出部
４１ｃ  係止爪部
４１ｄ  係止爪折り曲げ部
４２    ねじ挿通穴
５      タッピンねじ
Ｔ      受信部
【図１】
2013017154.tif 000003
【図２】
2013017154.tif 000004
【図３】
2013017154.tif 000005
【図４】
2013017154.tif 000006
【図５】
2013017154.tif 000007
【図６】
2013017154.tif 000008
【図７】
2013017154.tif 000009
【図８】
2013017154.tif 000010
【図９】
2013017154.tif 000011
【図１０】
2013017154.tif 000012
【図１１】
2013017154.tif 000013
【図１２】
2013017154.tif 000014
【図１３】
2013017154.tif 000015